(57)【要約】      （修正有）【課題】容易に自動化ゲートを利用できる入国審査システムを提供する。【解決手段】受信手段が，入国予定者の個人ＩＤを含む入国予定情報を受信し，生体情報取得手段が，個人ＩＤに基づいて，記憶されている入国予定者の生体情報を取得し，ブラックリスト照合手段が，入国者の個人ＩＤに基づいて，入国者をブラックリスト情報に照合し，生体情報読取手段が，入国予定者から入国予定者の生体情報を読み取り，生体照合手段が，受信した生体情報と，読み取った生体情報と，を照合し，ゲートが，生体情報の照合に成功し，ブラックリスト情報に該当していない場合に，入国予定者の入国を許可する。【選択図】図１
2015222459.tif 000002
【特許請求の範囲】
【請求項１】
入国予定者を審査する入国審査システムにおいて，
入国予定者の個人ＩＤを含む入国予定情報を受信する受信手段と，
前記個人ＩＤに基づいて，記憶されている前記入国予定者の生体情報を取得する生体情報取得手段と，
前記入国者の個人ＩＤに基づいて，前記入国者をブラックリスト情報に照合するブラックリスト照合手段と，
前記入国予定者から当該入国予定者の生体情報を読み取る生体情報読取手段と，
前記受信した生体情報と，前記読み取った生体情報と，を照合する生体照合手段と，
前記生体情報の照合に成功し，前記ブラックリスト情報に該当していない場合に，前記入国予定者の入国を許可するゲートと，
を行うことを特徴とする入国審査システム。
【請求項２】
請求項１において，
前記ブラックリスト照合手段は，前記ブラックリスト情報が更新された場合に，当該ブラックリストを前記入国予定情報と照合することを特徴とする入国審査システム。
【請求項３】
請求項１または２において，
サーバは，前記受信手段と，前記生体情報取得手段と，前記ブラックリスト照合手段と，を有し，
前記ゲートは，前記生体情報読取手段を有することを特徴とする入国審査システム。
【請求項４】
請求項２において，
前記ゲートは，前記第１の生体情報読取手段を有し，
前記入国管理システムは，端末を有し，
当該端末は，前記入国予定者から個人ＩＤの入力または前記端末が有する第２の生体情報読取手段による生体情報の入力を受け付けて前記取得した記憶されている生体情報と照合し，当該入国予定者のゲート利用の可否を出力することを特徴とする入国審査システム。
【請求項５】
請求項４において，
前記端末は，前記第２の生体情報読取手段により生体情報の入力を受け付け，
前記ゲートは，前記端末が受け付けた生体情報と，前記端末の第１の生体読み取り手段が読み取った生体情報とを照合して，入国許可の判断をすることを特徴とする入国審査システム。
【請求項６】
入国予定者を審査する入国審査方法において，
受信手段が，入国予定者の個人ＩＤを含む入国予定情報を受信する工程と，
生体情報取得手段が，前記個人ＩＤに基づいて，記憶されている前記入国予定者の生体情報を取得する工程と，
ブラックリスト照合手段が，前記入国者の個人ＩＤに基づいて，前記入国者をブラックリスト情報に照合する工程と，
生体情報読取手段が，前記入国予定者から当該入国予定者の生体情報を読み取る工程と，
生体照合手段が，前記受信した生体情報と，前記読み取った生体情報と，を照合する工程と，
ゲートが，前記生体情報の照合に成功し，前記ブラックリスト情報に該当していない場合に，前記入国予定者の入国を許可する工程と，
を行うことを特徴とする入国審査方法。
【発明の詳細な説明】
【技術分野】
【０００１】
本発明は，入国審査システムに関する。
【背景技術】
【０００２】
旅客が国境などを通過して入国する場合，旅客は国境や空港・港に設置された審査ブースにおいて入国審査を受ける必要がある。その際に，入国審査官は予め作成されたブラックリストと旅客の個人情報との突合を旅客全てに対して実施する。旅客がブラックリストに含まれる人物と判定した場合，入国審査官は旅客に対してさらに詳細な審査を実施する。
【０００３】
このような審査ブースにおける審査官による入国審査を支援する方法として，特許文献１に事前旅客審査システムが開示されている。特許文献１に示す事前旅客審査システムは，旅客または旅行代理店などから送信される旅客情報について，入国前に旅客全てに対して一人ずつ上記要注意人物の個人情報との照合チェックを実施してその結果を旅券番号と対応付けて格納しておき，審査ブースでは，旅券から読取った旅券番号からチェック結果を入国審査官が確認することで，入国審査の迅速化を行うものである。
【先行技術文献】
【特許文献】
【０００４】
【特許文献１】特開２００３−２７１７８１号公報
【発明の概要】
【発明が解決しようとする課題】
【０００５】
上記特許文献１に示されている事前旅客情報システムにおいては，入国前に旅客全てに対して一人ずつ要注意人物の個人情報との照合チェックを行っているが，ブラックリストが更新されても旅客情報との照合チェックは実施しておらず，審査時間を要する口頭審査において最新のブラックリストとの突合を行っているため，口頭審査を受ける渡航者の人数が減少しない傾向にある。また，口頭審査せずにブースを通過できる自動化ゲートは設置しているが，自動化ゲートを利用するには，いくつかの条件に該当する渡航者のみしか利用することができないため，旅行目的などの短期滞在の渡航者については，審査時間を要する口頭審査を受けなければならないという問題がある。
【０００６】
本発明は上述のような課題を鑑みてなされ，その目的は，容易に自動化ゲートを利用できる入国審査システムを提供することにある。
【課題を解決するための手段】
【０００７】
上記課題を解決するために，本発明の入国審査自動化では，受信手段が，入国予定者の個人ＩＤを含む入国予定情報を受信し，生体情報取得手段が，個人ＩＤに基づいて，記憶されている入国予定者の生体情報を取得し，ブラックリスト照合手段が，入国者の個人ＩＤに基づいて，入国者をブラックリスト情報に照合し，生体情報読取手段が，入国予定者から入国予定者の生体情報を読み取り，生体照合手段が，受信した生体情報と，読み取った生体情報と，を照合し，ゲートが，生体情報の照合に成功し，ブラックリスト情報に該当していない場合に，入国予定者の入国を許可する工程と，を行うことを特徴とする。 
【発明の効果】
【０００８】
本発明によって，容易に自動化ゲートを利用することができるようになるので，自動化ゲート利用率を増加させて入国審査を効率化することが可能となる。
【図面の簡単な説明】
【０００９】
【図１】入国審査自動化システム全体の構成例を示す図である。
【図２】外部機関データ連携用サーバ１０のハードウェア構成図を示すためのブロック図である。
【図３】入国予定者情報受付データベースの構成を示すための概念図である。
【図４】共通制御装置２０のハードウェア構成を示すためのブロック図である。
【図５】入国予定者情報データベースの構成を示すための概念図である。
【図６】出入国記録データベースの構成を示すための概念図である。
【図７】生体情報データベースの構成を示すための概念図である。
【図８】ブラックリストデータベースの構成を示すための概念図である。
【図９】出入国記録・生体情報突合結果データベースの構成を示すための概念図である。
【図１０】ＫＩＯＳＫ端末７０のハードウェア構成図を示すためのブロック図である。
【図１１】生体情報データベースの構成を示すための概念図である。
【図１２】出入国記録・生体情報突合結果データベースの構成を示すための概念図である。
【図１３】入国審査自動化システム全体の処理フロー及び渡航者の流れを示すフローチャートである。
【図１４】本発明に係る渡航者で入力された入国予定情報送信処理時処理を示すフローチャートである。
【図１５】本発明に係る入国予定者情報受信時処理を示すフローチャートである。
【図１６】本発明に係るブラックリスト更新時処理を示すフローチャートである。
【図１７】本発明に係る入国予定者情報受信時処理の詳細を示すフローチャートである。
【図１８】本発明に係るブラックリスト更新時処理におけるブラックリストとの突合処理の詳細を示すフローチャートである。
【図１９】本発明に係る自動化ゲート利用判定処理を示すフローチャートである。
【発明を実施するための形態】
【００１０】
以下に本発明の実施の形態を，図１〜図１９を用いて詳細に説明する。
【００１１】
図１は，入国審査システム全体の構成例を示す図である。設置国は日本とし，ここでいう入国とは，日本への入国とする。
【００１２】
入国審査システムは，外部機関データ連携サーバ１０，共通制御装置２０とＫＩＯＳＫ端末７０が広域ネットワーク３により相互に接続されて構成される。
【００１３】
日本国内にあるデータセンタ１には，外部機関データ連携サーバ１０と共通制御装置２０を備える。外部機関データ連携サーバ１０は，渡航者情報入力端末６０とインターネット２により接続可能になっている。渡航者情報入力端末６０は，インターネットに接続可能な汎用パソコンなどの端末であり，各人で所有するものである。
【００１４】
また，空港に設置される自動化ゲートは，通路を構成する匡体に，開閉により渡航者の通路通行を許可／遮断するフラップ，バー，扉などと，生体情報読取装置を備えた装置である。渡航者が自動化ゲートを利用した際に，生体情報読取装置にて渡航者の生体情報を読み取り，利用対象者のみフラップなどが開いたり可動にしたりして通行可能とする。同じく空港に設置されるKIOSK端末７０は，画面（図示せず），入力装置（図示せず）と，生体情報読み取り装置９０とを備えた情報端末である。
【００１５】
図２は，外部機関データ連携用サーバ１０のハードウェア構成図である。外部機関データ連携サーバ１０は，制御部１１と，記憶部１３から構成される。
【００１６】
制御部１１は，入国予定者情報送信手段１２などのプログラムを読み込んで機能させることができる。
【００１７】
入国予定者情報送信手段１２は，渡航者情報入力端末６０から入力された入国予定者情報受付データベース１４にて管理されている入国予定者情報を共通制御装置２０へ送信する機能を有する。
【００１８】
記憶部１３には，データベースが記憶され，入国予定者情報受付データベース１４で構成される。入国予定者情報受付データベース１４は，渡航者が渡航者情報入力端末６０から入力した入国予定者情報を管理する。
【００１９】
図３は，入国予定者情報受付データベースの構成を示すための概念図である。
【００２０】
入国予定者情報受付データベース１４は，渡航者マスタ番号と，入国予定情報と，入国者情報で構成され，入国予定情報である便名，出発地，到着地，出発日時，到着日時と，入国者情報である旅券番号，国籍，氏名，性別，生年月日などを保管する。なお，入国予定者情報受付データベース１４は，任意のタイミングで渡航者情報入力端末６０から要求を受けて情報が追加，更新または削除されることで，常に情報が更新されている。情報入力者については，入国予定者に代わって，航空会社，旅行会社等がパスポートなどの情報を読み取って入力代行してもよい。
【００２１】
図４は，共通制御装置２０のハードウェア構成図である。共通制御装置２０は，制御部２１と，記憶部２７から構成される。
【００２２】
記憶部２７には，データベースが記憶される。データベースは，出入国記録・生体情報突合結果データベース２８と，出入国記録データベース２９と，生体情報データベース３０と，ブラックリストデータベース３１と，出入国記録・生体情報突合結果データベース３２から構成される。
【００２３】
図５は，入国予定者情報データベース２８の構成を示すための概念図である。入国予定者情報データベース２８は，渡航者マスタ番号と，入国予定情報と，入国者情報で構成され，入国予定情報である出発地，到着地，出発日時，到着日時と，入国者情報である旅券番号，国籍，氏名，性別，生年月日などを保管する。なお，入国予定者情報データベース２８は，入国予定者情報受付データベース１４が更新される都度，情報が追加，更新または削除されることで，常に情報が更新されている。入国予定者情報データベースには，渡航者が入国する前に上記情報を登録する。なお，入国予定者情報を入力することにより，入国における口頭審査時に必要となる，出入国管理（記録）カード「Embarkation/Disembarkation Card」（以下，ＥＤカードとする。）に必要な情報が記載され，航空機内等でＥＤカードを記入せずに口頭審査を受けることが可能となる。
【００２４】
図６は，出入国記録データベース２９の構成を示すための概念図である。
【００２５】
出入国記録データベース２９は，旅客識別番号と，個人情報と過去の審査結果，ブラックリスト突合結果と，登録日時で構成され，個人情報には，旅券番号，国籍，氏名，性別，生年月日などを保管する。なお，出入国記録データベースには，過去に入国した渡航者のみ情報が登録されている。
【００２６】
図７は，生体情報データベース３０の構成を示すための概念図である。生体情報データベース３０は，旅客識別番号と，生体情報と，登録日時で構成され，生体情報には，顔画像と指紋情報を保管する。なお，生体情報データベースには，過去の入国審査の際に審査官が生体情報読取装置を用いて渡航者の顔画像及び生体情報を取得した情報が登録されている。本実施例では，過去に日本への入国の経歴がある者に限られているが，これに代えて，入国予定者の本国（パスポート発行国）で登録された生体情報であり政府等公的機関の保証があるものを用いてもよい。この場合，外部機関データ連携用サーバ１０が本国の公的機関サーバへ生体情報とその証明書の送付を要求して受け取ったり，入国予定者情報の入力を本国の公的機関サーバ経由で行い生体情報などを一緒に送付することが考えられる。
【００２７】
図８は，ブラックリストデータベース３１の構成を示すための概念図である。ブラックリストデータベース３１は，ＢＬ（Black List）マスタ番号と，個人情報で構成され，個人情報には，旅券番号，国籍，氏名，性別，生年月日などを保管する。なお，ブラックリストデータベースには，日本国にて問題を起こした人物や国際手配されている人物等が登録される。
【００２８】
図９は，出入国記録・生体情報突合結果データベース３２の構成を示すための概念図である。出入国記録・生体情報突合結果データベース３２は，突合結果マスタ番号，渡航者マスタ番号，旅客識別番号，ＢＬマスタ番号，出入国記録マスタ番号，自動化ゲート対象フラグから構成され，出入国記録・生体情報突合手段２２と，ブラックリスト突合手段２３と，入国予定者情報突合手段２４と，自動化ゲート対象判定手段２５の突合処理結果を保管する。ブラックリスト突合手段２３において，ブラックリストの該当者のみが，ＢＬマスタ番号を登録される。なお，突合とは，同一人物存在するか否かを判定することをいい，個人情報（旅券番号，氏名，性別など）の適したものに基づいて同一人物を判別する。  制御部２１は，出入国記録・生体情報突合手段２２と，ブラックリスト突合手段２３と，入国予定者情報突合手段２４と，自動化ゲート対象判定手段２５と，ＫＩＯＳＫ端末データ連携手段２６のプログラムを読み出して機能させる。
【００２９】
出入国記録・生体情報突合手段２２は，入国予定者情報データベース２８に登録された入国者情報と出入国記録データベース２９に格納されている旅券番号，国籍，氏名，性別，生年月日などを突合し，入国予定者が過去に入国した記録が存在するか否かを判定する。また，過去に入国した記録が存在する入国予定者については，生体情報データベース３０に登録された生体情報と紐付けを行う。
【００３０】
ブラックリスト突合手段２３は，ブラックリストデータベース３１が追加・更新された場合において，ブラックリストデータベース３１に格納されているブラックリスト情報の更新情報分と入国予定者情報データベース２８に格納されている入国者情報との突合を行い，入国予定者の中で追加・更新されたブラックリストに該当する人物が存在するか否かを判定する。判定した結果を，出入国記録・生体情報突合結果データベース３２に格納する。
【００３１】
入国予定者情報突合手段２４は，入国予定者情報データベース２８が追加・更新された場合において，入国予定者情報データベース２８に格納されている入国者情報とブラックリストデータベース３１に格納されているブラックリストとの突合を行い，入国予定者の中でブラックリストに該当する人物が存在するか否かを判定する。判定した結果を，出入国記録・生体情報突合結果データベース３２に格納する。
【００３２】
自動化ゲート対象判定手段２５は，出入国記録・生体情報突合結果データベース３２におけるブラックリストの該当者でない且つ過去の出入国記録及び生体情報が登録されている人物に対して，自動化ゲート対象か否か（自動化ゲート対象フラグが１か否か）を判定する。
【００３３】
ＫＩＯＳＫ端末データ連携手段２６は，出入国記録・生体情報突合結果データベース３２において，自動化ゲート対象か否かを判定したレコードをＫＩＯＳＫ端末７０に送信する。
【００３４】
図１０は，ＫＩＯＳＫ端末７０のハードウェア構成図を示すためのブロック図である。ＫＩＯＳＫ端末７０は，入出力部７１（タッチパネル付きディスプレイ）と，制御部７２と，記憶部７５から構成される。
【００３５】
制御部７２には，プログラムが記録され，渡航者生体情報読取手段７３と，生体情報突合手段７４のプログラムを読み出して機能させる。
【００３６】
渡航者生体情報読取手段７３は，生体情報読取装置９０で読取った渡航者の生体情報をデータ化する。
【００３７】
生体情報突合手段７４は，渡航者生体情報読取手段７３でデータ化した生体情報と生体情報データベース７６に格納されている生体情報の突合を行い，渡航者が過去に入国した記録が存在する人物であるか否かを判定する。
【００３８】
記憶部７５には，データベースが記憶され，生体情報データベース７６，出入国記録・生体情報突合結果データベース７７から構成される。
【００３９】
生体情報データベース７６（図１１）は，共通制御装置２０で管理している生体情報データベース３０と同一の情報を共通制御装置２０より受信し保管する。生体情報データベース７６は，旅客識別番号と，生体情報と，登録日時で構成され，生体情報には，顔画像と指紋情報を保管する。なお，生体情報データベース７６には，過去の入国審査の際に審査官が生体情報読取装置を用いて渡航者の顔画像及び生体情報を取得した情報が登録されている。
【００４０】
出入国記録・生体情報突合結果データベース７７（図１２）は， 共通制御装置２０で管理している出入国記録・生体情報突合結果データベース３２の内，自動化ゲート対象判定を行ったレコードのみを共通制御装置２０より受信し保管する。  出入国記録・生体情報突合結果データベース７７は，突合結果マスタ番号と，渡航者マスタ番号と，旅客識別番号と，ＢＬマスタ番号と，出入国記録マスタ番号，自動化ゲート対象フラグから構成され，出入国記録・生体情報突合手段２２と，ブラックリスト突合手段２３と，入国予定者情報突合手段２４と，自動化ゲート対象判定手段２５の突合処理結果を保管する。なお，突合とは，同一人物存在するか否かを判定することをいう。
【００４１】
図１３は，入国審査自動化システム全体の処理フロー及び渡航者の流れを示す。
【００４２】
渡航者は出発前に渡航者情報入力端末６０にて入国予定情報を入力し，外部機関データ連携用サーバ１０に送信する（Ｓ001）。渡航者が自国の出国から日本に到着するまでの間に，システムにて送信された入国予定者情報を出入国記録データベースと突合し，一致する情報があれば過去に取得した生体情報との紐付けを行う（Ｓ002〜Ｓ004）。
【００４３】
さらに，入国予定者情報とブラックリストを突合し，ブラックリストに該当する人物であるか否かを判定する（Ｓ005）。ブラックリストに該当する人物でなければ，自動化ゲート対象としてＫＩＯＳＫ端末へ出入国記録・生体情報突合結果データベース３２の渡航者に関するデータを送信する（Ｓ006，Ｓ007）。
【００４４】
渡航者は日本に到着後，ＫＩＯＳＫ端末にて自動化ゲート利用判定処理を行い，判定結果がＫＩＯＳＫ端末７０の画面に表示される（Ｓ008，Ｓ009）。判定の結果自動化ゲート利用可能であればＫＩＯＳＫ端末から自動化ゲート１００に生体情報を送信される。渡航者は，自動化ゲート１００の周辺機器である生体情報読取装置にて 渡航者の生体情報を読み取らせ，一致すれば自動化ゲート１００の通過を許可され，入国する（Ｓ010）。
【００４５】
図１４は，渡航者で入力された入国予定情報送信時処理（Ｓ001）のフローチャートを示す。
【００４６】
渡航者情報入力端末６０は，便名，出発地，到着地，出発日時，到着日時等の入国予定情報及び旅券番号，国籍，氏名，性別，生年月日等の身分事項の入力を受付け(Ｓ６０１)，入力された入国予定情報及び身分事項を外部機関データ連携サーバ１０に送信する(Ｓ６０２)。
【００４７】
外部機関データ連携サーバ１０は，Ｓ６０２で送信された入国予定情報及び身分事項をＳ１０１にて入国予定者情報受付データベース１４に格納する（Ｓ１０１）。
【００４８】
図１５は，入国予定者情報受信時処理（Ｓ002〜Ｓ007）のフローチャートを示す。
【００４９】
外部機関データ連携サーバ１０で管理している入国予定者情報データベースに格納されたデータを共通制御装置２０へ送信する(Ｓ１０２)。
【００５０】
共通制御装置２０は，入国予定者情報の送信処理（Ｓ１０２）で送信された入国予定者情報を入国予定者情報データベース２８への登録処理（Ｓ２０１）にて，ＥＤ番号を採番し入国予定者情報を格納する。
【００５１】
さらに，入国予定者情報受信時処理（Ｓ２０２）にて突合処理によって自動化ゲート対象判定を行い（詳細は図１７にて説明）その結果を，出入国記録・生体情報突合結果データベース３２に格納する(Ｓ２０３)。
【００５２】
その後，出入国記録・生体情報突合結果を，ＫＩＯＳＫ端末７０へ送信する(Ｓ２０４)。
【００５３】
ＫＩＯＳＫ端末７０は，ＫＩＯＳＫ端末７０へ突合結果の送信（Ｓ２０４）で送信された出入国記録・生体情報突合結果を出入国記録・生体情報突合結果データベース７７に登録する（Ｓ７０１）。
【００５４】
渡航者はＫＩＯＳＫ端末の周辺機器である生体情報読取装置にて，渡航者の生体情報を読み取り，ＫＩＯＳＫ端末７０に格納されている生体情報データベースと突合する。該当する生体情報が生体情報データベース７６に存在すれば，そのレコードの旅客識別番号をキーに出入国記録・生体情報突合結果データベース７７の旅客識別番号を検索し，該当するレコードの自動化ゲート対象判定フラグから自動化ゲートを利用可能か否かを判定（Ｓ７０２）して，その結果をＳ７０２にて画面に表示する。なお，入力する情報は，旅券番号などの個人ＩＤを生体情報に代えて単独で，または生体情報と合わせて使用することも可能である。
【００５５】
自動化ゲート利用可能であれば，ＫＩＯＳＫ端末７０の周辺機器である生体情報読取装置で読取った渡航者の生体情報を自動化ゲート装置に送信する（Ｓ７０４）。
【００５６】
ＫＩＯＳＫ端末と自動化ゲート装置を分けることで，自動化ゲート使用判定が否である場合に速やかに有人入国審査ブースに移動できるように配置できるとともに，自動化ゲート装置前の混雑をなくすことで，他の人と一緒にゲートを通過してしまう共連れの不正を発見しやすくできる。
【００５７】
図１６は，本発明に係るブラックリスト更新時処理を示すフローチャートである。
【００５８】
共通制御装置２０で管理しているブラックリストデータベース３１が更新された場合，ブラックリストと入国予定者情報との突合処理（Ｓ２０６）を行い，その結果，ブラックリストに該当する入国予定者が存在すれば，出入国記録・生体情報処理結果データベース３２へ格納し(Ｓ２０７)，ＫＩＯＳＫ端末へ突合結果の送信（Ｓ２０８）を行う。
【００５９】
図１７は，入国予定者情報受信時処理の詳細を示すフローチャートである。
【００６０】
入国予定者情報受信時処理（Ｓ２０２）において，入国予定者情報と出入国記録データベース２９との突合（Ｓ２０２１）を行い，出入国記録突合結果判定（Ｓ２０２２）を行う。出入国記録があれば，生体情報データベース３０から該当する生体情報を検索（Ｓ２０２３）する。
【００６１】
その後，入国予定者情報とブラックリストデータベースとの突合（Ｓ２０２４）を行い，ブラックリストに該当する入国予定者か否かを判定する。出入国記録，生体情報があり且つブラックリストに該当しなければ，自動化ゲート対象判定処理（Ｓ２０２５）にて自動化ゲート利用可能と判定する。出入国記録，生体情報が存在しない又はブラックリストに該当する場合は，自動化ゲート対象判定処理（Ｓ２０２５）にて自動化ゲート利用不可と判定し，その渡航者は対面審査となる。
【００６２】
図１８は，ブラックリスト更新時処理におけるブラックリストとの突合処理の詳細を示す。ブラックリストデータベースが更新された場合は，ブラックリストの更新情報と入国予定者情報を突合（Ｓ２０６１）する。突合の結果，ブラックリストに該当するか否かによって自動化ゲート対象判定処理（Ｓ２０６２）にて自動化ゲート対象フラグを更新する。
【００６３】
図１９は，自動化ゲート利用判定処理を示すフローチャートである。
【００６４】
渡航者生体情報読取処理（Ｓ７０２１）にて，渡航者の生体情報を読み取りデータ化する。
【００６５】
読取った生体情報と生体情報データベース７６との突合（Ｓ７０２２）を行い，該当する情報があるか否か生体情報突合判定（Ｓ７０２３）を行う。該当する情報があれば，自動化ゲート対象判定フラグ確認（Ｓ７０２４）にて自動化ゲート利用可能か否かを確認する。
【００６６】
自動化ゲート利用可能である場合，自動化ゲート１００は，生体情報読み取り装置９１で読み取った生体情報を，入国予定であり自動化ゲート利用可能である者の生体情報が記録されている生体情報データベース７６と照合し，照合できたら入国予定者の入国を許可してゲートのフラップを開くなどの動作を行う。これで入国予定者はゲートを通過して入国可能になる。なお，照合する自動化ゲート側の記録済み生体情報としては，ＫＩＯＳＫ端末で読み取った生体情報を単独または生体情報データベース７６と合わせて用いてもよい。直前に生体情報を採取しており生体の状態が近いので，照合が素早く精度よく行えることが期待でき，また生体情報データベース７６の生体情報と合わせればさらに効果が高まると考えられる。
【符号の説明】
【００６７】
１０  ・・・  外部機関データ連携用サーバ
１１  ・・・  制御部
１２  ・・・  入国予定者情報送信手段
１３  ・・・  記憶部
１４  ・・・  入国予定者情報受付データベース
２０  ・・・  共通制御装置
２１  ・・・  制御部
２２  ・・・  出入国記録・生体情報突合手段
２３  ・・・  ブラックリスト突合手段
２４  ・・・  入国予定者情報突合手段
２５  ・・・  自動化ゲート対象判定手段
２６  ・・・  ＫＩＯＳＫ端末データ連携手段
２７  ・・・  記憶部
２８  ・・・  入国予定者情報データベース
２９  ・・・  出入国記録データベース
３０  ・・・  生体情報データベース
３１  ・・・  ブラックリストデータベース
３２  ・・・  出入国記録・生体情報突合結果データベース
６０  ・・・  渡航者情報入力端末
７０  ・・・  ＫＩＯＳＫ端末
７１  ・・・  入力部
７２  ・・・  制御部
７３  ・・・  渡航者生体情報読取手段
７４  ・・・  生体情報突合手段
７５  ・・・  記憶部
７６  ・・・  生体情報データベース
７７  ・・・  出入国記録・生体情報突合結果データベース
９０  ・・・  生体情報読取装置
１００・・・  自動化ゲート
【図１】
2015222459.tif 000003
【図２】
2015222459.tif 000004
【図３】
2015222459.tif 000005
【図４】
2015222459.tif 000006
【図５】
2015222459.tif 000007
【図６】
2015222459.tif 000008
【図７】
2015222459.tif 000009
【図８】
2015222459.tif 000010
【図９】
2015222459.tif 000011
【図１０】
2015222459.tif 000012
【図１１】
2015222459.tif 000013
【図１２】
2015222459.tif 000014
【図１３】
2015222459.tif 000015
【図１４】
2015222459.tif 000016
【図１５】
2015222459.tif 000017
【図１６】
2015222459.tif 000018
【図１７】
2015222459.tif 000019
【図１８】
2015222459.tif 000020
【図１９】
2015222459.tif 000021